(57)【要約】      （修正有）【課題】データ採取作業とデータ分析作業を分離し、少数の高度なノウハウを持った分析の専門家および分析装置を時間的にも距離的にも有効に活用できるようにした検査業務実行方法、検査処理業務管理サーバおよび方法、クライアント端末およびその処理方法、検査業務処理ホストおよび方法、及び遠隔画像検査システムを提供する。【解決手段】検査業務実行方法は、指定された検査対象・種別に対応する検査対象前処理プログラムを用いて検査対象画像中の検査対象領域あるいは除外領域を指定し、検査対象画像データと検査業務依頼内容を送信し、受信した検査対象画像データに対する依頼内容に応じて検査業務処理ホストを選択して検査ジョブを割当て、予め画像処理アルゴリズム記憶手段により記憶されたアルゴリズムを用いて検査処理オペレータが適切な画像処理演算を選択し実行し、検査結果をクライアントに送信することを特徴とする。【選択図】  図５
2004294395.tif 000002
【特許請求の範囲】
【請求項１】
クライアントのユーザ情報を登録するステップと、
検査対象・種別を指定するステップと、
この指定された検査対象・種別からデータベースに記憶された対応する検査対象前処理プログラムをネットワークを介して提供するステップと、
検査対象前処理プログラムを用いて検査対象画像中の検査対象領域あるいは除外領域を指定するステップと、
指定した検査対象領域に対する詳細な検査業務依頼内容を記述するステップと、
検査対象画像データと検査業務依頼内容を送信するステップと、
前記前処理プログラムを適用して変換された検査対象画像データを受信するステップと、
この受信した検査対象画像データに対する依頼内容に応じて検査業務処理ホストを選択して検査ジョブを割当てるステップと、
選択した検査業務処理ホストに前記検査ジョブを送信するステップと、
予め画像処理アルゴリズム記憶手段により記憶されたアルゴリズムを用いて検査処理オペレータが適切な画像処理演算を選択し実行するステップと、
前記検査処理オペレータにより提供される検査結果をクライアントに送信するステップとを有することを特徴とする検査業務実行方法。
【請求項２】
ネットワークを介して送信されたクライアントに関わるユーザ情報、詳細な検査業務依頼内容を含む検査業務依頼情報および検査対象領域あるいは除外領域指定情報を含む画像データを受信する通信手段と、前記クライアントに関わるユーザ情報、検査業務依頼内容に対応した検査手法およびそれに関わる前処理手法の情報を記憶しているデータベースと、このデータベースに記憶されているユーザ情報と前記通信手段で受信したユーザ情報とを照合して認証するための認証手段と、この認証手段によって認証された場合、前記検査業務依頼内容に応じた検査手法および前処理手法の情報に基づいて所望の検査処理タスクを選択して検査処理オペレータ宛検査処理ジョブを発行する手段と、検査処理が実行された場合、外部機器から検査処理結果報告書を受信し、前記クライアントへ送付する手段と、この実行した検査処理内容の対価を演算して検査業務実行費用を算出する手段とを備えたことを特徴とする検査処理業務管理サーバ。
【請求項３】
請求項２記載の検査処理業務管理サーバにおいて、ネットワーク上の複数の検査処理オペレータおよび外部機器に関する情報を記憶している他のデータベースと、このデータベースから依頼業務内容に適した検査処理オペレータおよび外部機器を抽出する手段と、この検査処理オペレータおよび外部機器に対して検査業務の依頼を仲介する手段と、この検査業務依頼仲介の対価を演算して仲介費用を算出する手段とを有することを特徴とする検査処理業務管理サーバ。
【請求項４】
クライアントに関わるユーザ情報、詳細な検査業務依頼内容を含む検査業務依頼情報および検査対象領域あるいは除外領域指定情報を含む画像データ情報を受信するステップと、前記クライアントに関わるユーザ情報、検査業務依頼内容に対応した検査手法およびそれに関わる前処理手法の情報を抽出するステップと、前記ユーザ情報と認証データベースのデータと照合して認証するステップと、前記検査業務依頼内容に応じた検査手法および前処理手法の情報に基づいて所望の検査処理タスクを選択して検査処理オペレータ宛検査処理ジョブを発行するステップと、検査処理が実行された場合、検査処理結果報告書を外部機器から受信するステップと、この検査処理結果報告書を前記クライアントへ送付するステップと、この実行した検査処理内容の対価を演算し検査業務実行費用を算出するステップとを有することを特徴とする検査処理業務管理方法。
【請求項５】
クライアントを認証するためのユーザ情報および検査業務内容を特定するための検査業務依頼情報を入力するための入力手段と、
対象とする検査画像に対して、検査領域あるいは検査除外領域を表示画像上に直接書き込んで指定する手段と、
その指定した領域に対する処理内容を詳細に記述する手段と、
この入力手段で入力されたユーザ情報および検査業務依頼情報を外部機器へ送信する送信手段と、
この送信手段によって送信された前記検査業務依頼情報に対応する検査手法および前処理手法に基づいて検査業務実施が可能と判断された場合、前記外部機器から検査対象画像前処理プログラムを受信する受信手段と、
この受信された検査対象画像前処理プログラムを実行する手段とを備え、前記送信手段は、前記検査対象画像前処理プログラムにより処理された検査対象画像データ情報を前記外部機器に送信する一方、前記受信手段は、前記送信された検査対象画像データ情報に対して処理した検査結果を受信することを特徴とするクライアント端末。
【請求項６】
請求項５記載のクライアント端末において、検査対象画像上の領域指定については、矩形、多角形、および、フリーハンドの何れかの形式で指定する手段を備えたことを特徴とするクライアント端末。
【請求項７】
請求項５および６記載のクライアント端末において、検査対象画像上で指定された検査対象領域とそれに関する詳細処理内容を、検査画像上に記号を付記することにより対応づける手段を備えたことを特徴とするクライアント端末。
【請求項８】
クライアントを認証するためのユーザ情報および検査業務内容を特定するために対象とする検査画像に対して、検査領域あるいは検査除外領域を表示画像上に直接書き込んで指定するステップおよびその指定した領域に対する処理内容を詳細に記述するステップと、この入力されたユーザ情報および検査業務依頼情報を外部機器へ送信するステップと、この送信された前記検査業務依頼情報に対応する検査手法および前処理手法に基づいて検査業務実施が可能と判断された場合、前記外部機器から検査対象画像前処理プログラムを受信するステップと、この受信した検査対象画像前処理プログラムを実行するステップと、前処理を実行した検査対象画像データ情報を前記外部機器に送信するステップと、前記送信された検査対象画像データ情報に対して処理した検査結果を受信するステップとを有することを特徴とするクライアント端末の処理方法。
【請求項９】
検査対象画像データ情報を処理する画像処理アルゴリズムを記憶している画像処理アルゴリズム記憶手段と、
検査実施要求と前処理済み検査対象画像データを受付けるための接続手段と、
この受付けた前処理済み検査対象画像データを画像処理アルゴリズム記憶手段により記憶されたアルゴリズムを用いて検査処理オペレータが適切な画像処理演算を選択し実行することにより、対象データに対する検査結果を生成する手段とを備え、
前記接続手段は、前記検査結果を送信することを特徴とする検査業務処理ホスト。
【請求項１０】
請求項９記載の検査業務処理ホストにおいて、検査対象画像データに対して画像処理演算を実行する際に、対象部品の形状を抽出するためのテンプレートを作成・保存および再利用する手段を備えることを特徴とする検査業務処理ホスト。
【請求項１１】
検査実施要求を受信するステップと、前処理済み検査対象画像データを受付けるステップと、この受付けた前処理済み検査対象画像データを検査処理オペレータが画像処理アルゴリズムにより所定の画像処理演算を実行して対象データに対する検査結果を生成するステップと、この検査結果を送信するステップとを有することを特徴とする検査業務処理方法。
【請求項１２】
前記検査処理業務管理サーバにおける処理画像送信手段は、処理画像を物理乱数を用いて暗号化して前記クライアント端末に送信することを特徴とする請求項２から４のいずれか１に記載の遠隔画像検査システム。
【請求項１３】
前記クライアント端末における処理画像送信手段は、処理画像を物理乱数を用いて暗号化して前記管理サーバに送信することを特徴とする請求項５から８のいずれか１に記載の遠隔画像検査システム。
【発明の詳細な説明】
【０００１】
【発明の属する技術分野】
本発明は、原子力発電プラント、火力発電プラント、化学プラントにおける各種機器の構成部品など、定期的あるいは非定期的な欠陥検査の必要な機器を対象として、ネットワークを介して検査業務を実行するための検査業務実行方法、検査処理業務管理サーバおよび方法、クライアント端末およびその処理方法、検査業務処理ホストおよび方法、及び遠隔画像検査システムに関する。
【０００２】
【従来の技術】
各種機器の欠陥検査などの検査業務については、少数の専門家が検査対象の設置現場に出向くか、あるいは検査対象物を特定の作業場所に移動してデータを採取し、分析装置によりその場で、あるいはデータのみを持ち帰り分析作業を行っていた。
【０００３】
あるいは、目視検査などの検査対象となる機器部品の原画像データそのものを検査者に提示する必要があった。
【０００４】
さらに、自動化された遠隔画像検査システムでは、きめ細かい検査結果を必要とする場合には検査対象部品の形状を抽出するためのテンプレートを予め用意する必要があるため適用範囲が狭く、また、必ずしもクライアント側の依頼内容が充分反映された検査結果が得られるとは限らなかった。
【０００５】
【発明が解決しようとする課題】
上記のような従来の技術においては、以下のような課題がある。すなわち、少数の専門家が検査対象の設置現場に出向くか、あるいは検査対象物を特定の作業場所に移動してデータを採取し、分析装置によりその場で、あるいはデータのみを持ち帰り分析作業を行わなければならないため、時間的、距離的な制約が大きく、効率的な検査サービスを提供することができなかった。また、依頼者が検査対象となる機器部品の原画像データそのものを検査者に提示したくない場合にも提示する必要があった。さらに、予め対象部品の形状を抽出するためのテンプレートを用意する必要があったり、きめ細かな依頼事項を反映することが困難であった。
【０００６】
本発明は、上記事情に鑑みてなされたものであり、データ採取作業とデータ分析作業を分離し、少数の高度なノウハウを持った分析の専門家および分析装置を時間的にも距離的にも有効に活用できるようにした検査業務実行方法、検査処理業務管理サーバおよび方法、クライアント端末およびその処理方法、検査業務処理ホストおよび方法、及び遠隔画像検査システムを提供することを目的とする。
【０００７】
また、本発明の他の目的とするところは、必要最小限の検査対象データのみを提示することにより、様々な検査対象に対してよりきめ細かく適切な検査技術が適用可能な検査業務実行方法、検査処理業務管理サーバおよび方法、クライアント端末およびその処理方法、検査業務処理ホストおよび方法、及び遠隔画像検査システムを提供することにある。
【０００８】
【課題を解決するための手段】
上記の課題を解決するために、
請求項１記載の検査業務実行方法は、クライアントのユーザ情報を登録するステップと、検査対象・種別を指定するステップと、この指定された検査対象・種別からデータベースに記憶された対応する検査対象前処理プログラムをネットワークを介して提供するステップと、検査対象前処理プログラムを用いて検査対象画像中の検査対象領域あるいは除外領域を指定するステップと、指定した検査対象領域に対する詳細な検査業務依頼内容を記述するステップと、検査対象画像データと検査業務依頼内容を送信するステップと、前記前処理プログラムを適用して変換された検査対象画像データを受信するステップと、この受信した検査対象画像データに対する依頼内容に応じて検査業務処理ホストを選択して検査ジョブを割当てるステップと、選択した検査業務処理ホストに前記検査ジョブを送信するステップと、予め画像処理アルゴリズム記憶手段により記憶されたアルゴリズムを用いて検査処理オペレータが適切な画像処理演算を選択し実行するステップと、前記検査処理オペレータにより提供される検査結果をクライアントに送信するステップとを有することを特徴とする。
【０００９】
請求項１記載の検査業務実行方法によれば、データ採取作業とデータ分析作業を分離し、少数の高度なノウハウを持った分析の専門家および分析装置を時間的にも距離的にも有効に活用することができる。
【００１０】
また、検査対象画像データは、前処理プログラムを適用して変換したことで、必要最小限の検査対象データのみを提示することにより、様々な検査対象に対してよりきめ細かく適切な検査技術が適用可能となる。
【００１１】
請求項２記載の検査処理業務管理サーバは、ネットワークを介して送信されたクライアントに関わるユーザ情報、詳細な検査業務依頼内容を含む検査業務依頼情報および検査対象領域あるいは除外領域指定情報を含む画像データを受信する通信手段と、前記クライアントに関わるユーザ情報、検査業務依頼内容に対応した検査手法およびそれに関わる前処理手法の情報を記憶しているデータベースと、このデータベースに記憶されているユーザ情報と前記通信手段で受信したユーザ情報とを照合して認証するための認証手段と、この認証手段によって認証された場合、前記検査業務依頼内容に応じた検査手法および前処理手法の情報に基づいて所望の検査処理タスクを選択して検査処理オペレータ宛検査処理ジョブを発行する手段と、検査処理が実行された場合、外部機器から検査処理結果報告書を受信し、前記クライアントへ送付する手段と、この実行した検査処理内容の対価を演算して検査業務実行費用を算出する手段とを備えたことを特徴とする。
【００１２】
請求項３記載の検査処理業務管理サーバは、ネットワーク上の複数の検査処理オペレータおよび外部機器に関する情報を記憶している他のデータベースと、このデータベースから依頼業務内容に適した検査処理オペレータおよび外部機器を抽出する手段と、この検査処理オペレータおよび外部機器に対して検査業務の依頼を仲介する手段と、この検査業務依頼仲介の対価を演算して仲介費用を算出する手段とを有することを特徴とする。
【００１３】
請求項４記載の検査処理業務管理方法は、クライアントに関わるユーザ情報、詳細な検査業務依頼内容を含む検査業務依頼情報および検査対象領域あるいは除外領域指定情報を含む画像データ情報を受信するステップと、前記クライアントに関わるユーザ情報、検査業務依頼内容に対応した検査手法およびそれに関わる前処理手法の情報を抽出するステップと、前記ユーザ情報と認証データベースのデータと照合して認証するステップと、前記検査業務依頼内容に応じた検査手法および前処理手法の情報に基づいて所望の検査処理タスクを選択して検査処理オペレータ宛検査処理ジョブを発行するステップと、検査処理が実行された場合、検査処理結果報告書を外部機器から受信するステップと、この検査処理結果報告書を前記クライアントへ送付するステップと、この実行した検査処理内容の対価を演算し検査業務実行費用を算出するステップとを有することを特徴とする。
【００１４】
請求項５記載のクライアント端末は、クライアントを認証するためのユーザ情報および検査業務内容を特定するための検査業務依頼情報を入力するための入力手段と、対象とする検査画像に対して、検査領域あるいは検査除外領域を表示画像上に直接書き込んで指定する手段と、その指定した領域に対する処理内容を詳細に記述する手段と、この入力手段で入力されたユーザ情報および検査業務依頼情報を外部機器へ送信する送信手段と、この送信手段によって送信された前記検査業務依頼情報に対応する検査手法および前処理手法に基づいて検査業務実施が可能と判断された場合、前記外部機器から検査対象画像前処理プログラムを受信する受信手段と、この受信された検査対象画像前処理プログラムを実行する手段とを備え、前記送信手段は、前記検査対象画像前処理プログラムにより処理された検査対象画像データ情報を前記外部機器に送信する一方、前記受信手段は、前記送信された検査対象画像データ情報に対して処理した検査結果を受信することを特徴とする。
【００１５】
請求項６記載のクライアント端末は、検査対象画像上の領域指定については、矩形、多角形、および、フリーハンドの何れかの形式で指定する手段を備えたことを特徴とする。
【００１６】
請求項７記載のクライアント端末は、検査対象画像上で指定された検査対象領域とそれに関する詳細処理内容を、検査画像上に記号を付記することにより対応づける手段を備えたことを特徴とする。
【００１７】
請求項８記載のクライアント端末の処理方法は、クライアントを認証するためのユーザ情報および検査業務内容を特定するために対象とする検査画像に対して、検査領域あるいは検査除外領域を表示画像上に直接書き込んで指定するステップおよびその指定した領域に対する処理内容を詳細に記述するステップと、この入力されたユーザ情報および検査業務依頼情報を外部機器へ送信するステップと、この送信された前記検査業務依頼情報に対応する検査手法および前処理手法に基づいて検査業務実施が可能と判断された場合、前記外部機器から検査対象画像前処理プログラムを受信するステップと、この受信した検査対象画像前処理プログラムを実行するステップと、前処理を実行した検査対象画像データ情報を前記外部機器に送信するステップと、前記送信された検査対象画像データ情報に対して処理した検査結果を受信するステップとを有することを特徴とする。
【００１８】
請求項９記載の検査業務処理ホストは、検査対象画像データ情報を処理する画像処理アルゴリズムを記憶している画像処理アルゴリズム記憶手段と、検査実施要求と前処理済み検査対象画像データを受付けるための接続手段と、この受付けた前処理済み検査対象画像データを画像処理アルゴリズム記憶手段により記憶されたアルゴリズムを用いて検査処理オペレータが適切な画像処理演算を選択し実行することにより、対象データに対する検査結果を生成する手段とを備え、前記接続手段は、前記検査結果を送信することを特徴とする。
【００１９】
請求項１０記載の検査業務処理ホストは、検査対象画像データに対して画像処理演算を実行する際に、対象部品の形状を抽出するためのテンプレートを作成・保存および再利用する手段を備えることを特徴とする。
【００２０】
請求項１１記載の検査業務処理方法は、検査実施要求を受信するステップと、前処理済み検査対象画像データを受付けるステップと、この受付けた前処理済み検査対象画像データを検査処理オペレータが画像処理アルゴリズムにより所定の画像処理演算を実行して対象データに対する検査結果を生成するステップと、この検査結果を送信するステップとを有することを特徴とする。
【００２１】
請求項１２は、請求項２から４のいずれか１に記載の遠隔画像検査システムにおいて、前記検査処理業務管理サーバにおける処理画像送信手段は、処理画像を物理乱数を用いて暗号化して前記クライアント端末に送信することを特徴とする。これにより、管理サーバからクライアント端末に送信する個人データの秘匿性が高まる。
【００２２】
請求項１３は、請求項５から８のいずれか１に記載の遠隔画像検査システムにおいて、前記クライアント端末における処理画像送信手段は、処理画像を物理乱数を用いて暗号化して前記管理サーバに送信することを特徴とする。これにより、クライアント端末から管理サーバに送信する個人データの秘匿性が高まる。
【００２３】
【発明の実施の形態】
以下、図面を参照して本発明の具体的な実施形態を説明する。
【００２４】
＜システムの全体構成＞
図１は、本発明に係る検査業務実行方法の一実施形態の全体構成を示すブロック図である。図１において、クライアントの端末装置（以下、クライアント端末という）１１０と管理サーバコンピュータ（以下、検査処理業務管理サーバという）１２０および検査処理ホスト側コンピュータ（以下、検査業務処理ホストという）１３０はコンピュータネットワーク（以下、単にネットワークという）１００によって接続されている。なお、実際には、複数のクライアント端末１１０および検査業務処理ホスト１３０がネットワーク１００によって検査処理業務管理サーバ１２０と接続されている。
【００２５】
図２は、クライアント端末１１０の構成を示す図である。クライアント端末１１０は、初期のユーザ登録情報や検査処理業務管理サーバ１２０認証のためのユーザＩＤやパスワード等の個別情報や検査業務依頼内容を入力するための入力部１１１と、入力部１１１から入力された個別情報や検査内容を検査処理業務管理サーバ１２０に送信するための送信部１１２と、検査業務処理ホスト１２０から送信される前処理プログラムおよび検査結果を受信するための受信部１１３と、受信部１１３で受信した情報を出力するための出力部１１４で構成される。また、検査業務処理ホスト１２０から受信した前処理プログラムにより、検査対象となる原画像データを処理する前処理実行部１１５を有する。
【００２６】
すなわち、クライアント端末１１０は、クライアント（検査業務依頼者）を認証するためのユーザ情報、検査業務内容を特定するための検査業務依頼情報、検査実施要求を入力するための入力部１１０と、この入力部１１０から入力されたユーザ情報、詳細な検査業務依頼内容を含む検査業務依頼情報および検査対象領域あるいは除外領域指定情報を含む画像データ、検査実施要求を外部機器である検査処理業務管理サーバ１２０へ送信する送信部１１２と、この送信部１１２によって送信された検査業務依頼情報に対応する検査処理業務管理サーバ１２０のデータベースに記憶されている検査手法および前処理手法に基づいて検査業務実施が可能と判断された場合に検査処理業務管理サーバ１２０から検査対象画像前処理プログラムを受信する受信部１１３と、この受信された検査対象画像前処理プログラムを実行する手段としての前処理実行部１１５とを備えている。
【００２７】
ここで、検査業務を依頼する対象機器としては、例えば腐食した配管や弁などの機器が適用され、これらの機器の腐食状態を画像化して検査対象画像とする。そして、送信部１１２は、詳細な検査業務依頼内容を含む検査業務依頼情報と、この検査対象画像前処理プログラムにより処理された検査対象領域あるいは除外領域指定情報を含む画像データを外部機器としての検査処理業務管理サーバ１２０に送信する一方、受信部１１３は検査業務処理ホスト１３０から検査処理業務管理サーバ１２０を介して上記のようにして送信された検査対象画像データ情報に対して処理した検査結果を受信する。
【００２８】
したがって、本実施形態におけるクライアント端末１１０の処理方法は、クライアントを認証するためのユーザ情報、検査領域あるいは検査除外領域を示す枠、その指定した領域に対する処理内容の詳細な記述、および、検査実施要求を入力するステップと、この入力されたユーザ情報、検査業務依頼情報、検査実施要求を外部機器としての検査処理業務管理サーバ１２０へ送信するステップと、この送信された検査業務依頼情報に対応する検査処理業務管理サーバ１２０のデータベースに記憶されている検査手法および前処理手法に基づいて検査業務実施が可能と判断された場合に検査処理業務管理サーバ１２０から検査対象画像前処理プログラムを受信するステップと、この受信した検査対象画像前処理プログラムを実行するステップと、前処理を実行した検査対象画像データ情報を検査処理業務管理サーバ１２０に送信するステップと、検査業務処理ホスト１３０から検査処理業務管理サーバ１２０を介して上記送信された検査対象画像データ情報に対して処理した検査結果を受信するステップとを有している。
【００２９】
図３は、検査処理業務管理サーバ１２０の構成を示すブロック図である。
【００３０】
図３に示すように、接続部１２１は、クライアント端末１１０からの個別情報や検査業務依頼内容を受信し、前処理プログラムをクライアント端末１１０に送信し、前処理済みの検査対象データを受信した後、検査業務処理ホスト１３０に送信し、検査業務処理ホスト１３０から検査結果を受信し、クライアント端末１１０に送信する。
【００３１】
認証処理部１２３は、接続部１２１で受信したユーザＩＤおよびパスワードを認証データベース１２６のデータと照合することにより認証を行う。
【００３２】
検査依頼内容処理部１２４は、接続部１２１が受信した依頼内容に応じて適切な前処理プログラムを検査処理手法データベース１２８から抽出しクライアント端末１１０に送信するとともに、クライアント端末１１０から前処理済みの検査対象データを受信し、検査処理オペレータデータベース１２７から検査処理オペレータを検索し、適切な検査業務処理ホスト１３０に検査処理ジョブを発行し、ジョブの実行を促す。
【００３３】
課金処理部１２５は、制御部１２２を介して、検査依頼内容処理部１２４が検査業務処理ホスト１３０に発行したジョブ内容の情報をもとに所定の演算をすることで課金を行い、課金情報データベース１２９を更新する。
【００３４】
図４は、検査業務処理ホスト１３０の構成を示す図である。検査業務処理ホスト１３０は、ネットワーク１００を介して検査処理業務管理サーバ１２０から検査ジョブ依頼を受信する接続部１３１と、検査処理オペレータが画像処理作業および検査結果情報作成作業を行うための検査処理ユーザインタフェース１３５と、画像処理アルゴリズム記憶データベース１３３を用いて画像処理を実行する画像処理アルゴリズム実行部１３２と、検査処理業務管理サーバ１２０を介してクライアント端末１１０に送信する検査結果情報を生成する検査結果生成部１３４から構成される。
【００３５】
＜具体的な処理手順＞
次に、図５を用いて本発明の検査サービス提供システム全体の流れをクライアント端末１１０、検査処理業務管理サーバ１２０、検査業務処理ホスト１３０の処理手順に区分して説明する。
【００３６】
まず、クライアントはクライアント端末１１０から検査処理業務管理サーバ１２０に対してユーザ識別情報を登録して新規ユーザ登録を行う。これに対して、検査処理業務管理サーバ１２０は、ユーザＩＤ、パスワードを発行する。
【００３７】
クライアントはクライアント端末１１０からこのユーザＩＤ、パスワードを用いて検査処理業務管理サーバ１２０にログインし（ステップａ）、接続要求を送信する（ステップｂ）。すると、検査処理業務管理サーバ１２０は、検査サービス提供内容リストを提供し（ステップｃ）、クライアント端末１１０の受信部１１３を介して出力部１１４に検査サービス提供内容リストを表示させる（ステップｄ）。クライアントは、入力部１１１から所望の検査内容を入力するとともに、検査対象画像データ前処理プログラム要求を送信する（ステップｅ）。
【００３８】
検査処理業務管理サーバ１２０は、受信した要求内容をもとに適切な前処理プログラムを選択しクライアント端末に送信する（ステップｆ）。
【００３９】
クライアントはクライアント端末１１０の受信部１１３により前処理プログラムを受信する（ステップｇ）。尚、ステップｆ〜ステップｇは初回利用時あるいは、前処理プログラム更新時等に必要に応じて行われるもので、毎回行う必要は無い。クライアントは前処理実行部１１５にて検査対象データの前処理を実行する（ステップｈおよびステップｉ）。そして送信部１１２により前処理済みデータを検査業務処理ホスト１２０に送信する（ステップｊ）。
【００４０】
検査処理業務管理サーバ１２０の制御部１２２は、接続部１２１により受信された検査依頼要求をもとに検査処理オペレータデータベース１２７から適切なオペレータを選択して（ステップｋ）メール等で通知するとともに、検査処理ジョブを発行して、受信した前処理済みデータを検査業務処理ホスト１３０に送信する（ステップｌ）。
【００４１】
検査業務処理ホスト１３０は、接続部１３１により検査処理ジョブを受付け、前処理済みデータを受信する。検査処理オペレータは画像処理ユーザインタフェース１３５を用いて、詳細な検査処理依頼内容を表示するとともに、画像処理アルゴリズム記憶データベース１３３から画像処理アルゴリズム実行部１３２にプログラムをロードして検査画像処理作業を実行する（ステップｍ）。この画像処理結果から検査結果生成部１３４にて検査結果情報を生成し（ステップｎ）、検査処理業務管理サーバ１２０宛て検査結果情報を送信する（ステップｏ）。
【００４２】
検査処理業務管理サーバ１２０は検査結果情報を受信する（ステップｐ）と、課金処理部１２５において検査結果内容に応じた課金情報を生成する（ステップｑ）。この課金情報とともに検査結果をクライアント端末１１０へ送信する（ステップｒ）。
【００４３】
クライアントはクライアント端末１１０の受信部１１３により、検査業務処理ホスト１２０から送信された検査結果および課金情報を受信する（ステップｓ）。クライアントは必要に応じてこの検査結果に検査対象の原画像データを貼り込む（ステップｔ）。クライアント端末１１０によって、別の検査業務が依頼されると、ステップｂ以降の処理を繰り返す。別の検査依頼をしない場合は、終了する（ステップｕ）。クライアントは、受信した課金情報をもとに検査処理業務管理サーバ運用業者あるいは検査業務処理ホスト運用業者に対して検査依頼料金を支払う。ここでの決済方法は銀行等の金融機関による振込みでも良いし、信販会社等を通しても良い。
【００４４】
以上のように、本実施形態によれば、高度な専門家のノウハウおよび分析装置を時間的・距離的に有効に活用することができる。
【００４５】
また、検査業務依頼者は検査対象画像前処理プログラムを用いることにより、検査対象となる機器部品の原画像データそのものをネットワーク上に流すことなく、検査に必要な必要最小限の前処理済みデータのみを提示することにより検査結果を得ることができる。さらに、クライアント側で検査結果情報取得後に原画像データを貼り込むことにより、検査結果と原画像データを重ね合わせて表示することも可能である。
【００４６】
図６は上記クライアント端末側での詳細な検査処理依頼内容を指定するためのユーザインタフェースの一実施形態を示す図である。依頼内容記述ウィンドウ２００には、依頼内容記述欄２１０、検査対象画像アイコン表示欄２２０、処理領域指定ツール起動ボタン２３０を含む。選択された検査対象画像ファイルは、検査対象画像アイコン表示欄２２０に検査対象画像アイコン２４０として表示される。
【００４７】
処理領域指定ツールウィンドウ３００は、処理領域指定ツール起動ボタン２３０から起動され、処理領域指定ツール操作ボタン群３１０、検査対象画像表示枠３２０、検査対象領域リスト表示枠３３０を含む。処理領域指定ツールウィンドウ３００では、検査対象画像表示枠３２０に表示された検査対象画像に対して、例えば、矩形領域指定枠３４０を用いて処理領域の指定を行う。この領域指定では、多角形領域指定枠３５０、フリーハンド領域指定枠３６０などによる指定も可能である。また、それぞれの領域指定枠には「▲１▼」「▲２▼」などの識別番号が付加され、検査対象領域リスト表示枠３３０に対応するコメントを付加することもできる。さらに、これら領域指定枠は、線種や色により区別される。色により区別する場合は、対応するコメントも同様に同じ色で表示される。
【００４８】
［変形例１］
次に、検査業務処理ホストが複数存在する場合のサービス提供の例を説明する。
【００４９】
図７は、変形例１に係る全体構成を示す図である。この場合は、ネットワーク１００を介してＡ社検査業務処理ホスト１４０およびＢ社検査業務処理ホスト１５０が接続された構成となっている。それぞれの検査業務処理ホストの構成は、図３で示した検査業務処理ホストの構成と同等のもので実現可能である。
【００５０】
なお、ここで各検査業務処理ホストは検査処理業務管理サーバ運用業者が運用するものでも、検査処理業務管理サーバ運用業者が提携した不特定の第三者が運用するものでも同様である。また、３つ以上の検査業務処理ホストを接続する場合も同様である。
【００５１】
以下、検査業務処理ホストが複数存在する場合のサービス提供の方法を図８をもとに述べる。なお、図５と同じ処理は同じ符号をつける。
【００５２】
クライアント端末１１０から検査内容と前処理プログラム要求を送信する（ステップａ〜ｅ）までは、図５と同じ処理である。
【００５３】
ステップｅの後、クライアントから検査依頼を受信すると検査処理業務管理サーバ１２０は依頼内容に応じて適切な検査業者を選択して検査業務を委託する（ステップｖ）。この場合、検査処理ジョブは選択された検査業者、例えば、Ａ社の検査業務処理ホスト１４０に送信される。
【００５４】
Ａ社検査業務処理ホスト１４０では、委託された検査内容に応じて適切な前処理プログラムを選択し検査処理業務管理サーバ１２０を介してクライアント端末１１０宛送信する（ステップｗ）。
【００５５】
その後、クライアントが検査対象データに前処理プログラムを適用して、検査処理オペレータが検査業務処理ホストで検査結果情報を生成し、検査処理業務管理サーバを介して検査結果と課金情報をクライアント端末に送信し、クライアントが接続終了する（ステップｇ〜ｕ）までは、図５と同じ処理である。
【００５６】
クライアントが検査依頼料金を支払う（ステップｘ）と、検査処理業務管理サーバ１２０はそのうちＡ社検査業務処理ホスト１４０への仲介料を差引いた額を委託料としてＡ社に支払う（ステップｙ）。
【００５７】
検査業務処理ホスト運用業者Ａ社は、検査依頼料金から検査処理業務管理サーバ運用業者の仲介料を差引いた額を検査委託料として受取る（ステップｚ）。
【００５８】
以上のように、変形例１によれば、クライアントは検査業務処理ホスト運用業者を意識することなく、同一の窓口から様々な検査業務を依頼することができるようになる。
【００５９】
また、検査処理業務管理サーバ運用業者が特定の検査技術を有していない場合にもクライアントからの検査業務依頼を仲介することが可能となるため、柔軟な検査サービスを提供することができる。
【００６０】
【発明の効果】
以上、説明したように本願発明によれば、高度な専門家のノウハウおよび分析装置を時間的・距離的に有効に活用することができる。
【００６１】
また、クライアントは検査対象画像前処理プログラムを用いることにより、検査対象となる機器部品の原画像データそのものをネットワーク上に流すことなく、検査に必要な必要最小限の前処理済みデータのみを提示することにより様々な検査対象に対してよりきめ細かく適切な検査結果を得ることができる。
【図面の簡単な説明】
【図１】本願発明の一実施例に係る全体構成を示す図。
【図２】本願発明の一実施例に係るクライアント端末の構成を示す図。
【図３】本願発明の一実施例に係る検査処理業務管理サーバの構成を示す図。
【図４】本願発明の一実施例に係る検査業務処理ホストの構成を示す図。
【図５】本願発明の一実施例に係るクライアント端末、検査処理業務管理サーバ、および、検査業務処理ホストの処理の流れを示す図。
【図６】本願発明の一実施例に係るクライアント端末側での詳細な検査処理依頼内容を指定するためのユーザインタフェースを示す図。
【図７】本願発明の一実施例に係る全体構成を示す図。
【図８】本願発明の一実施例に係るクライアント端末、検査処理業務管理サーバ、および、検査業務処理ホストの処理の流れを示す図。
【符号の説明】
１００  コンピュータネットワーク
１１０  クライアント端末
１２０  検査処理業務管理サーバ
１３０  検査業務処理ホスト
１４０  Ａ社検査業務処理ホスト
１５０  Ｂ社検査業務処理ホスト
１１１  入力部
１１２  送信部
１１３  受信部
１１４  出力部
１１５  前処理実行部
１２１  接続部
１２２  制御部
１２３  認証処理部
１２４  検査依頼内容処理部
１２５  課金処理部
１２６  認証データベース
１２７  検査処理オペレータデータベース
１２８  検査処理手法データベース
１２９  課金情報データベース
１３１  接続部
１３２  画像処理アルゴリズム実行部
１３３  画像処理アルゴリズム記憶データベース
１３４  検査結果生成部
１３５  画像処理ユーザインタフェース
２００  依頼内容記述ウィンドウ
２１０  依頼内容記述欄
２２０  検査対象画像アイコン表示欄
２３０  処理領域指定ツール起動ボタン
２４０  検査対象画像アイコン
３００  処理領域指定ツールウィンドウ
３１０  処理領域指定ツール操作ボタン群
３２０  検査対象画像表示枠
３３０  検査対象領域リスト表示枠
３４０  領域指定枠＜矩形＞
３５０  領域指定枠＜多角形＞
３６０  領域指定枠＜フリーハンド＞
【図１】
2004294395.tif 000003
【図２】
2004294395.tif 000004
【図３】
2004294395.tif 000005
【図４】
2004294395.tif 000006
【図５】
2004294395.tif 000007
【図６】
2004294395.tif 000008
【図７】
2004294395.tif 000009
【図８】
2004294395.tif 000010